(57)【要約】【課題】  本発明は、携帯時において携帯機器に傷がつくことを防止すると共に、画面部を効果的に保護することができる新規な携帯機器保護構造、及びこの携帯機器保護構造に用いられる保護ケースを提供することを目的とする。【解決手段】  携帯機器１００の裏面側を覆う裏表紙部２と、前記携帯機器１００の一側面を覆う背表紙部３と、前記携帯機器１００の表面側を覆う表紙部４とからなる保護ケース１０にて前記携帯機器１００を内包して保護するにあたり、前記裏表紙部２の内面と前記背表紙部３の内面とがなす第一角部２３の角度と、前記表紙部４の内面と前記背表紙部３の内面とがなす第二角部４３の角度との和が１８０度未満となるように、前記第一角部２３から前記第二角部４３までの間隔を、前記携帯機器１００の厚みより大きく設定する。【選択図】  図１
2013102271.tif 000002
【特許請求の範囲】
【請求項１】
扁平箱型の筐体と、前記筐体の表面側に配置された画面部とを備えた携帯機器が保護ケースにて保護されてなる携帯機器保護構造であって、
前記保護ケースは、
前記携帯機器の裏面側を覆う、矩形、且つ平板状の裏表紙部と、
前記携帯機器の一側面を覆う、帯状、且つ平板状の背表紙部と、
前記携帯機器の表面側を覆う、矩形、且つ平板状の表紙部と、
を具備し、
前記裏表紙部の一側辺、及び前記表紙部の一側辺が、前記背表紙部の一側辺又は他側辺に対してそれぞれ接合され、且つ、前記裏表紙部の内面と前記背表紙部の内面とがなす第一角部、及び前記表紙部の内面と前記背表紙部の内面とがなす第二角部を開閉軸として、前記裏表紙部に対して前記表紙部が開閉可能となされてなり、
前記携帯機器は、
その裏面が前記裏表紙部の内面に対向された状態にて、前記保護ケースに対して支持されてなり、
前記表紙部が閉じられて、前記保護ケース内に前記携帯機器が内包された際に、前記第一角部の角度と前記第二角部の角度との和が１８０度未満となるように、前記第一角部から前記第二角部までの間隔が、前記携帯機器の厚みより大きく設定されてなることを特徴とする携帯機器保護構造。
【請求項２】
請求項１に記載の携帯機器保護構造において、
前記表紙部が閉じられて、前記保護ケース内に前記携帯機器が内包された際に、前記第一角部と前記第二角部の角度の和が１５０〜１７５度の範囲内となるようになされた携帯機器保護構造。
【請求項３】
請求項１又は２に記載の携帯機器保護構造において、
前記携帯機器の裏面が、前記裏表紙部の内面に対し、感圧接着剤を介して支持されてなる携帯機器保護構造。
【請求項４】
請求項１ないし３のいずれか１項に記載の携帯機器保護構造において、
前記保護ケースには、更に、前記表紙部が閉じられた状態で維持する係止部材が備えられてなる携帯機器保護構造。
【請求項５】
請求項１ないし４のいずれか１項に記載の携帯機器保護構造において、
前記表紙部、又は前記背表紙部の一方、又は両方の表面には、化粧シートが積層されてなる携帯機器保護構造。
【請求項６】
請求項５に記載の携帯機器保護構造において、
前記化粧シートが、
線径０．０１〜０．１５ｍｍ、且つ１００〜５００メッシュの金網の片面、又は両面に対し、熱可塑性樹脂シートが溶着されることによって積層された金網樹脂シートであり、
前記表紙部、又は前記背表紙部の一方、又は両方の表面に、前記熱可塑性樹脂シートを対向させた状態にて、加熱、加圧されることによって溶着固定されて積層されてなる携帯機器保護構造。
【請求項７】
請求項５に記載の携帯機器保護構造において、
前記化粧シートが、
線径０．０１〜０．１５ｍｍ、且つ１００〜５００メッシュの金網の片面又は両面に対し、熱可塑性樹脂シートが溶着されることによって積層され、且つ、前記熱可塑性樹脂シートが積層された片面に対し、更に、紙シートが積層されてなる金網紙シートであり、
前記表紙部、又は前記背表紙部の一方、又は両方の表面に対し、前記紙シートを対向させた状態にて、接着固定されて積層されてなる携帯機器保護構造。
【請求項８】
請求項６又は７に記載の携帯機器保護構造において、
前記化粧シートにおける金網には、凹凸模様が付与されてなる携帯機器保護構造。
【請求項９】
請求項１ないし８のいずれか１項に記載の携帯機器保護構造において用いられることを特徴とする保護ケース。
【発明の詳細な説明】
【技術分野】
【０００１】
本発明は、携帯電話、携帯情報受信端末、携帯ゲームなどの携帯機器が保護ケースによって保護されてなる携帯機器保護構造、及び、これに用いられる保護ケースに関する。
【背景技術】
【０００２】
最近、携帯可能なサイズの筐体内に、ＣＰＵ素子、記憶装置、電池等を内蔵すると共に、前記筐体の表面に、液晶ディスプレイなどの画面部が配置された携帯機器、例えば、携帯電話、携帯情報受信端末、携帯ゲームなどが実用化されている。
【０００３】
これらの携帯機器は、使用者によって携帯され、任意の場所にて使用されることを前提とするものであることから、前記筐体には、携帯時の振動に耐え得る一定の強度が付与されている。
【０００４】
しかしながら、前記携帯機器は、鞄内やポケット等に入れて持ち歩く際、前記鞄や前記ポケットの内面と擦れたり、前記鞄内のその他の収納物とぶつかり合ったりするため、前記筐体や前記画面部に傷がつくことがある。
【０００５】
そのため、前記携帯機器に傷がつくことを好ましく思わない使用者は、前記携帯機器に対し、カバーやケースを装着することによって、前記携帯機器を保護している。
【０００６】
現在、この種の携帯機器を保護するためのカバーやケースとしては、多くの形態のものが開発され、市販されている（例えば、下記特許文献１参照）。
【先行技術文献】
【特許文献】
【０００７】
【特許文献１】特開２０１０‐１６７９９号公報
【発明の開示】
【発明が解決しようとする課題】
【０００８】
前記特許文献１に記載された携帯端末用カバーは、携帯端末の表面に存する画面部（表示部）を覆って保護する表面カバー部と、前記携帯端末裏面に対抗して配置され、前記裏面を覆って保護する裏面カバー部と、前記携帯端末の前記側面に対向して配置され、前記側面を覆って保護する側面カバー部とを具備するものである。
【０００９】
しかしながら、前記特許文献１に記載された携帯端末用カバーによって構築された保護構造は、前記携帯端末の表面に存する画面部に対し、前記表面カバー部の内面が面接触しているため、誤って落とされて前記表面カバー部側から衝撃が与えられると、係る衝撃が表面カバー部越しに前記画面部に伝達されて、前記画面部にひびや割れが生じることがある。
【００１０】
本発明は、前記技術的課題を解決するために開発されたものであり、携帯時において携帯機器に傷がつくことを防止すると共に、画面部を効果的に保護することができる新規な携帯機器保護構造、及びこの携帯機器保護構造に用いられる保護ケースを提供することを目的とする。
【課題を解決するための手段】
【００１１】
本発明の携帯機器保護構造は、扁平箱型の筐体と、前記筐体の表面側に配置された画面部とを備えた携帯機器が保護ケースにて保護されてなる携帯機器保護構造であって、前記保護ケースは、前記携帯機器の裏面側を覆う、矩形、且つ平板状の裏表紙部と、前記携帯機器の一側面を覆う、帯状、且つ平板状の背表紙部と、前記携帯機器の表面側を覆う、矩形、且つ平板状の表紙部と、を具備し、前記裏表紙部の一側辺、及び前記表紙部の一側辺が、前記背表紙部の一側辺又は他側辺に対してそれぞれ接合され、且つ、前記裏表紙部の内面と前記背表紙部の内面とがなす第一角部、及び前記表紙部の内面と前記背表紙部の内面とがなす第二角部を開閉軸として、前記裏表紙部に対して前記表紙部が開閉可能となされてなり、前記携帯機器は、その裏面が前記裏表紙部の内面に対向された状態にて、前記保護ケースに対して支持されてなり、前記表紙部が閉じられて、前記保護ケース内に前記携帯機器が内包された際に、前記第一角部の角度と前記第二角部の角度との和が１８０度未満となるように、前記第一角部から前記第二角部までの間隔が、前記携帯機器の厚みより大きく設定されてなることを特徴とする（以下、本発明構造と称する。）。
【００１２】
本発明構造においては、前記表紙部が閉じられて、前記保護ケース内に前記携帯機器が内包された際に、前記第一角部と前記第二角部の角度の和が１５０〜１７５度の範囲内となるようになされたものが好ましい態様となる。
【００１３】
本発明構造においては、前記携帯機器の裏面が、前記裏表紙部の内面に対し、感圧接着剤を介して支持されてなるものが好ましい態様となる。
【００１４】
本発明構造においては、前記保護ケースには、更に、前記表紙部が閉じられた状態で維持する係止部材が備えられてなるものが好ましい態様となる。
【００１５】
本発明構造においては、前記表紙部、又は前記背表紙部の一方、又は両方の表面には、化粧シートが積層されてなるものが好ましい態様となる。
【００１６】
本発明構造においては、前記化粧シートが、線径０．０１〜０．１５ｍｍ、且つ１００〜５００メッシュの金網の片面、又は両面に対し、熱可塑性樹脂シートが溶着されることによって積層された金網樹脂シートであり、前記表紙部、又は前記背表紙部の一方、又は両方の表面に、前記熱可塑性樹脂シートを対向させた状態にて、加熱、加圧されることによって溶着固定されて積層されてなるものが好ましい態様となる。
【００１７】
本発明構造においては、前記化粧シートが、線径０．０１〜０．１５ｍｍ、且つ１００〜５００メッシュの金網の片面又は両面に対し、熱可塑性樹脂シートが溶着されることによって積層され、且つ、前記熱可塑性樹脂シートが積層された片面に対し、更に、紙シートが積層されてなる金網紙シートであり、前記表紙部、又は前記背表紙部の一方、又は両方の表面に対し、前記紙シートを対向させた状態にて、接着固定されて積層されてなるものが好ましい態様となる。
【００１８】
本発明構造においては、前記化粧シートにおける金網には、凹凸模様が付与されてなるものが好ましい態様となる。
【００１９】
本発明の保護ケースは、前記本発明構造において用いられることを特徴とする。
【発明の効果】
【００２０】
本発明によれば、携帯時において携帯機器に傷がつくことを防止すると共に、画面部を効果的に保護することができる。
【図面の簡単な説明】
【００２１】
【図１】図１（ａ）は、閉じた状態の本発明構造を示す斜視図であり、図１（ｂ）は、開いた状態の本発明構造を示す斜視図である。
【図２】図２は、本発明の保護ケースを表面側から示す斜視図である。
【図３】図３は、閉じた状態の本発明構造を示す底面図である。
【図４】図４は、本発明構造を開いた状態とし、表紙部を下敷き代わりにしてメモ書きしている様子を示す斜視図である。
【図５】図５は、本発明構造を把持している様子を示す斜視図である。
【図６】図６（ａ）は、本発明構造を鞄内に収納する様子を示す斜視図であり、図６（ｂ）は、鞄を断面状態にて示すことによって、鞄内に収納された本発明構造を示す側面図である。
【図７】図７は、閉じた状態の本発明構造の別の例を示す斜視図である。
【図８】図８は、本発明の保護ケースを製造する際に用いられる、二枚の矩形シートと、帯状シートとを示す正面図である。
【図９】図９は、本発明の保護ケースを製造する際に用いられる矩形シートに、化粧シートを積層する様子を示す斜視図（ａ）と、断面図（ｂ）である。
【図１０】図１０（ａ）は、本発明の保護ケースを製造する際に用いられる、化粧シートが積層された二枚の矩形シートと、帯状シートとを示す正面図であり、図１０（ｂ）は、製造された本発明の保護ケースを表面側から示す斜視図であり、図１０（ｃ）は、製造された本発明の保護ケースを内面側から示す斜視図である。
【発明を実施するための形態】
【００２２】
以下、本発明の実施形態を図面に基づいて説明するが、本発明はこの実施形態に限定されるものではない。
【００２３】
＜実施形態１＞
図１に、実施形態１に係る本発明構造１を示す。この本発明構造１は、本発明の保護ケース１０と、携帯機器１００とを具備する。
【００２４】
前記携帯機器１００は、扁平箱状の筐体１０１の表面に４インチの液晶ディスプレイからなる画面部１０２が設けられた構造を有する通話機能付きの携帯情報受信端末（幅６２ｍｍ、高さ１２６ｍｍ、厚さ１１．９ｍｍ）である。
【００２５】
図２に示すように、前記保護ケース１０は、前記携帯機器１００の裏面側を覆う裏表紙部２と、前記携帯機器１００の一側面を覆う背表紙部３と、前記携帯機器１００の表面側を覆う表紙部４と、を具備してなる。
【００２６】
前記裏表紙部２、及び前記表紙部４は、幅７０ｍｍ、高さ１３０ｍｍ、厚さ１．０ｍｍの矩形の平板状部材（ボール紙）からなる。なお、前記裏表紙部２、及び前記表紙部４の高さ方向に沿う一側辺側の両角部は丸められている。
【００２７】
又、前記背表紙部３は、幅１５ｍｍ、高さ１３０ｍｍ、厚さ１．０ｍｍの帯状の平板状部材（ボール紙）からなる。
【００２８】
前記保護ケース１０は、角部が丸められた前記裏表紙部２の一側辺に対向する他側辺を前記背表紙部３の長さ方向に沿う一側辺に隣接させると共に、角部が丸められた前記表紙部４の一側辺に対向する他側辺を前記背表紙部３の他側辺に隣接させて、幅３８ｍｍの粘着テープ２００にて、前記背表紙部３の片側面を覆うと共に、前記背表紙部３の両側辺からそれぞれはみ出させた前記粘着テープ２００の両側の粘着面にて、前記背表紙部３に対し、前記裏表紙部２及び前記表紙部４を接合することによって形成されたものである。従って、前記保護ケース１０は、平面状に展開された際に、前記裏表紙部２、前記背表紙部３、及び前記表紙部４が連続した矩形状となる。
【００２９】
前記保護ケース１０は、前記背表紙部３を覆う前記粘着テープ２００を表面側に露出させた状態にて折り畳まれて使用されるものであり、前記裏表紙部２の内面と前記背表紙部３の内面とがなす第一角部２３、及び前記表紙部４の内面と前記背表紙部３の内面とがなす第二角部４３を開閉軸として、前記裏表紙部２に対して前記表紙部３が開閉可能となされている（図１（ａ）、（ｂ）参照）。なお、前記裏表紙部２、前記背表紙部３、及び前記表紙部４の「内面」とは、前記保護ケース１０が折り畳まれて、前記携帯機器１００が内包された際における、前記携帯機器１００を臨む側の面を意味する。
【００３０】
前記表紙部４には、二つの貫通孔４１が高さ方向に沿って一定の間隔をあけて配置されている。本発明構造１においては、この二つの貫通孔４１を通じて、一端と他端が接合されることによって環状となされたゴムバンド５が取り付けられている。このゴムバンド５は、特許請求の範囲における係止部材に相当するものである。
【００３１】
図３に示すように、前記裏表紙部２の内面には、アクリル系の感圧接着剤からなる粘着シート（厚さ０．５ｍｍ）６が積層されている。
【００３２】
本発明構造１は、前記保護ケース１０を展開して、前記裏表紙部２の内面に積層された粘着シート６を露出させ、次いで、前記携帯機器１００における前記筐体１０１の裏面を、前記粘着シート６に押し当てて、前記携帯機器１００を、前記粘着シート６の粘着力によって、前記保護ケース１０に支持させることによって構築される。
【００３３】
なお、本実施形態において、前記携帯機器１００を前記保護ケース１０に支持させるにあたっては、前記携帯機器１００における前記筐体１０１の高さ方向が、前記保護ケース１０における裏表紙部２の高さ方向と平行となるようにすると共に、前記携帯機器１００における前記筐体１０１が前記保護ケース１０における裏表紙部２からはみ出さないようにする。
【００３４】
この際、前記携帯機器１００における前記筐体１０１の高さ方向に沿う一側面が、できるだけ前記第一角部２３に近接するように、前記保護ケース１０に対して前記携帯機器１００を位置決めすることが好ましい（図３参照）。
【００３５】
本発明構造１は、前記表紙部４が閉じられて、前記保護ケース１０内に前記携帯機器１００が内包された状態にて携帯に供される。この際、前記ゴムバンド５を前記裏表紙部２と前記表紙部４の周囲に巻き回せば、前記表紙部４が閉じられた状態を維持することができる。
【００３６】
なお、前記係止部材としての前記ゴムバンド５を前記裏表紙部２と前記表紙部４の周りに巻き回すことによって、前記表紙部４が閉じられた状態を維持するにあたっては、前記第一角部２３の角度がほぼ９０度となるようにすることが好ましい。
【００３７】
そして、本発明構造１は、前記第一角部２３から前記第二角部４３までの間隔（Ｙ：実測１４．８ｍｍ）が、前記携帯機器１００の厚み（Ｘ0：１１．９ｍｍ）より大きく設定されているから、前記表紙部４が閉じられて、前記保護ケース１０内に前記携帯機器１００が内包された状態とされた際、前記第一角部２３の角度（α）と前記第二角部４３の角度（β）との和が１８０度未満となる。
【００３８】
従って、前記表紙部４が閉じられた際、前記表紙部４の内面と前記携帯機器１００の前記画面部１０２との間には、断面視楔状の間隙Ｓが生じる。この間隙Ｓは、本発明構造１に対して前記表紙部４の外面側から衝撃が加えられた際に、前記画面部１０２に対して伝達される衝撃を効率よく緩和させる緩衝部となる。
【００３９】
ここで、本発明構造１においては、前記第一角部２３から前記第二角部４３までの間隔（Ｙ）を、前記携帯機器１００の厚さ（Ｘ0）に対し、１．２倍以上とすることによって、前記表紙部４が閉じられた際に、前記表示部４の内面と前記携帯機器１００の前記画面部１０２との間に十分な間隙Ｓが確実に生じるようにすることが好ましい。但し、本実施形態のように、前記携帯機器１００を前記保護ケース１０に対して固定する固定手段として、前記粘着シート６を用いる場合にあっては、前記携帯機器１００の厚さ（Ｘ0）に前記粘着シート６の厚さを加えた分の距離（Ｘ1：固定手段によって嵩増しされた前記携帯機器１００の厚さ）に対して、前記第一角部２３から前記第二角部４３までの間隔を１．２倍以上とすることがより好ましい。
【００４０】
なお、本発明構造物は、前記表紙部４が、前記裏表紙部２に対して開閉可能となされているから、図４に示すように、前記表紙部４を開いて前記携帯機器１００を操作している間に、前記表紙部４を下敷き代わりにしてメモ用紙にメモすることも可能となる。係るメモ用紙は、前記表紙部４の内面に対し、付帯された状態としても良い。但し、係るメモ用紙を前記表紙部４の内面に付帯する場合には、係るメモ用紙の厚さによって、前記第一角部２３の角度（α）と前記第二角部４３の角度（β）との和が１８０度以上とならないように、メモ用紙の枚数（厚さ）を制限することが好ましい。
【００４１】
又、本発明構造物においては、前記表紙部４の内面に対し、名刺やクレジットカードその他のカードを挿し入れて収納することができるカードホルダを付帯させても良い。但し、係るカードホルダを前記表紙部４の内面に付帯する場合にあっても、係るカードホルダによって、前記第一角部２３の角度（α）と前記第二角部４３の角度（β）との和が１８０度以上とならないように、カードホルダ自体の厚さを制限したり、カードホルダに収納し得るカードの枚数（最大収納枚数）を制限したりすることが好ましい。
【００４２】
本実施形態においては、前記携帯機器１００を前記保護ケース１０に支持させる手段（支持手段）として、再粘着性に優れるアクリル系の感圧接着剤からなる前記粘着シート６を用いたが、前記粘着シート６を構成する素材としてはアクリル系の感圧接着剤に限られない。例えば、ウレタン系の感圧接着剤やシリコン系の感圧接着剤、或いは含水ゲルなどを素材として前記粘着シート６を構成しても良い。なお、前記支持手段としては、前記粘着シート６に限定されるものではない。例えば、前記裏表紙部２に対し、前記携帯機器１００を厚さ方向や幅方向から挟んで支持するクリップや、前記携帯機器１００の外縁の一部又は全部を嵌め込んで支持するホルダなどを取り付け、これらを支持手段として用いても良い。
【００４３】
本実施形態においては、前記裏表紙部２、前記背表紙部３、及び前記表紙部４をそれぞれ別体のパーツとして形成し、各パーツを繋ぐことによって一体化させているが、一枚の平板状の部材を折り畳むことによって、前記裏表紙部２、前記背表紙部３、及び前記表紙部４を形成しても良い。即ち、本発明において、前記裏表紙部２、前記背表紙部３、及び前記表紙部４の各部分が「接合」されている状態とは、前記各部分が別体であって前記各部分が繋がれている状態と、前記各部分がもともと繋がれている状態とを意味する。
【００４４】
本実施形態においては、前記裏表紙部２の先端側の両角部、及び前記表紙部４の先端側の両角部の角部を丸めることによって、外観の印象が温和な感じとなるようにしているが、係る角部を角ばったままとすることによって、シャープな外観となるようにしても良い。即ち、本発明において、「矩形」とは、幾何学的な長方形を意味するものではなく、全体的な外観が略四角形状であることを意味する。
【００４５】
なお、前記裏表紙部２の先端側の両角部、及び前記表紙部４の先端側の両角部に対しては、コーナー金具を取り付けることによって、係る部位を補強することが好ましい。
【００４６】
本実施形態においては、前記裏表紙部２、前記背表紙部３、及び前記表紙部４の素材としてボール紙を用いているが、係る素材としては平板状部材であれば特に限定されるものではない。係る素材の他の例としては、金属性やプラスチック性等の平板状部材を挙げることができる。なお、前記裏表紙部２や前記表紙部４には、その表面に、皮、人工皮革、布、ゴム、樹脂シート、フィルム等の化粧シートを積層し、前記保護ケース１０の美的外観や風合いを向上させることが好ましい。勿論、前記背表紙部３に対して、前記化粧シートを積層しても良い。
【００４７】
又、本実施形態においては、前記携帯機器１００として、扁平箱状の筐体１０１の表面に４インチの液晶ディスプレイからなる画面部１０２が設けられた構造を有する通話機能付きの携帯情報受信端末を用いたが、前記携帯機器１００としては、携帯情報受信端末に限られず、例えば、携帯電話や、携帯ゲームであっても良い。
【００４８】
更に、前記携帯機器１００のサイズとしても特に限定されるものではない。要するに本発明構造１は、保護ケース１０によって保護される市販の携帯機器１００のサイズに応じて、前記保護ケース１０のサイズが適宜決定されるものである。なお、前記保護ケース１０を単独で販売するにあたっては、前記保護ケース１０に対し、前記保護ケース１０が適用可能な市販の携帯機器１００の商品名やサイズなどの保護対象情報を付記したり、前記保護ケース１０に前記保護対象情報を記したラベルやシールを付帯させたり、前記保護ケース１０の包装ケースに前記保護対象情報を付記したりすることが好ましい。
【００４９】
ところで、本発明構造１は、前記第一角部２３から前記第二角部４３までの間隔（Ｙ）が、前記携帯機器１００の厚み（Ｘ0）より大きく設定されているから、前記表紙部４が閉じられた際、前記第一角部２３から前記第二角部４３までの間隔（Ｘ0）より、前記裏表紙部２と前記表紙部４の先端辺同士の間隔（Ｚ）が小さくなった先細り形状となる（図３参照）。
【００５０】
このような先細り形状となる本発明構造１は、先端部より前記背表紙部３側が嵩高くなっているため、図５に示すように、使用者は、嵩高い前記背表紙３側をつかむことによって、容易に把持することができる。
【００５１】
又、図６（ａ）に示すように、このような先細り形状となる本発明構造１を薄型の鞄Ｂにしまう際には、嵩高い背表紙３側を把持した状態で、嵩の低い先端側から鞄Ｂ内に向かって挿入することができるため、鞄Ｂ内への収納が非常に容易となる。
【００５２】
一方、嵩の低い先端側から鞄Ｂ内に挿入されて収納された本発明構造１を鞄Ｂから取り出す際にあっては、図６（ｂ）に示すように、鞄Ｂの口部を開く動作に応じて、本発明構造１に隣接する本やノート類の別の収納物Ｇが、本発明構造１の前記裏表紙部２、及び前記表紙部４に案内されて傾き、本発明構造１の前記背表紙部３が露出するため、その視認が非常に容易となる。そして、露出された背表紙部３側からつかまれることによって、本発明構造１は、鞄Ｂ内から容易に取り出される。
【００５３】
ところで、本発明者が、本発明構造１における前記第一角部２３から前記第二角部４３までの間隔（Ｙ）を少しずつ変えて、前記表紙部４が閉じられて、前記保護ケース１０内に前記携帯機器１００が内包された状態とされた際における、前記第一角部２３の角度（α）と前記第二角部４３の角度（β）との和を変えて試験したところ、係る角度の和が１７５度を超えている場合には、本発明構造１を鞄Ｂから取り出す際に、本発明構造１に隣接する本やノート類の別の収納物Ｇに埋もれてしまい視認性が悪くなることが確認されている。
【００５４】
これは、係る角度の和が１７５度を超えている場合には、本発明構造１に隣接する本やノート類の別の収納物Ｇが、本発明構造１の前記裏表紙部２、及び前記表紙部４に案内されて傾く程度が小さくなることを原因とするものである。
【００５５】
一方、係る角度の和が１５０度未満の場合にあっても、本発明構造１を鞄Ｂから取り出す際に、本発明構造１に隣接する本やノート類の別の収納物Ｇに埋もれてしまい視認性が悪くなることが確認されている。
【００５６】
これは、係る角度の和が１５０度未満の場合には、本発明構造１の先端部に対して、前記背表紙部３側が嵩高くなりすぎ、鞄Ｂ内において隣接する本やノート類の別の収納物Ｇに前記背表紙部３が挟まれて宙吊り状態となり、歩行時の際に鞄Ｂに与えられる揺れによって、本発明構造１が、その背表紙３側を鞄Ｂの底部に向けてひっくり返り、その結果、本発明構造１に隣接する本やノート類の別の収納物Ｇに埋もれて視認性が悪くなることを原因とする。
【００５７】
そこで、本発明構造１においては、前記表紙部４が閉じられて、前記保護ケース１０内に前記携帯機器１００が内包された状態とされた際における、前記第一角部２３の角度（α）と前記第二角部４３の角度（β）の和を１５０〜１７５度（好ましくは１６０〜１７０度）の範囲内とすることが好ましい。
【００５８】
＜実施形態２＞
図７に実施形態２に係る本発明構造１を示す。この本発明構造１は、本発明の保護ケース１０と、携帯機器１００と、を具備する。
【００５９】
前記携帯機器１００は、扁平箱状の筐体１０１の表面に３．５インチの液晶ディスプレイからなる画面部１０２が設けられた構造を有する市販の通話機能付きの携帯情報受信端末（幅５８．６ｍｍ、高さ１１５．２ｍｍ、厚さ９．３ｍｍ）である。なお、前記携帯機器１００の裏側面の一角部近辺には、前記携帯機器１００に内蔵されたカメラ機能におけるレンズ部１０３が設けられている。
【００６０】
前記保護ケース１０は、前記携帯機器１００の裏面側を覆う裏表紙部２と、前記携帯機器１００の一側面を覆う背表紙部３と、前記携帯機器１００の表面側を覆う表紙部４と、を具備してなる。
【００６１】
図８に示すように、この保護ケース１０を製造するにあたっては、まず、厚さ１ｍｍのボール紙を切断することによって、幅６０ｍｍ、高さ１１６ｍｍの長方形に切断した二枚の矩形シート２０、４０と、幅１３ｍｍ、高さ１１６ｍｍに切断した帯状シート３０とを作成する。なお、前記矩形シート２０、４０における、各一長辺側に存する二つの角部は丸められている。
【００６２】
次いで、図９（ａ）に示すように、各矩形シート２０、４０の表面全体を覆うようにして化粧シート７を積層する。
【００６３】
図９（ｂ）に示すように、前記化粧シート７は、金網７１の片面に対し、熱可塑性樹脂シート７２が溶着によって積層され、且つ、前記熱可塑性樹脂シート７２が積層された側の面に対し、更に、紙シート７３が積層されてなる金網紙シートである。
【００６４】
更に詳しくは、前記化粧シート７は、線径０．０４ｍｍ、且つ２５０メッシュの前記金網７１の片側面に、ナイロン‐１２からなる前記熱可塑性樹脂シート（厚さ０．０３ｍｍ）７２を重ねあわせ、加熱プレス装置にて加熱、及び加圧することによって金網樹脂シートを形成し、前記金網樹脂シートにおける前記熱可塑性樹脂シート７２が積層された側の面に、更に、前記紙シート（厚さ０．０８３ｍｍ）７３を重ね合わせ、前記加熱プレス装置にて加熱、及び加圧することによって形成されたものである。
【００６５】
なお、前記化粧シート７における前記金網７１には、前記紙シート７３を積層する際に、同時に施されたエンボス加工によって、凹凸模様Ｐが施されている。この凹凸模様Ｐが付されることによって、前記化粧シート７には、落ち着いた感じの独特の金属光沢が付与される。
【００６６】
そして、前記化粧シート７は、幅９０ｍｍ、高さ１４５ｍｍの矩形に切断加工された後、前記紙シート７３が積層された側の面が、各矩形シート２０、４０の表面に臨む状態、且つ、各矩形シート２０、４０の表面全体を覆った状態にて、各矩形シート２０、４０に対して接着固定される。
【００６７】
各矩形シート２０、４０の周囲からはみ出させた、前記化粧シート７の周縁部分は、各矩形シート２０、４０の縁に沿って、各矩形シート２０、４０の内面側に折り返された後、各矩形シート２０、４０の内面側に対して接着固定される。なお、各矩形シート２０、４０における丸めた角部においては、前記化粧シート７に対して細かなひだを付与しつつ、前記角部の曲線に沿って折り返すことによって、前記角部の円弧に対応させる。
【００６８】
前記化粧シート７を各矩形シート２０、４０に対して積層させた後、一方の矩形シート２０に対しては、丸めた一の角部の近辺に窓部２１を設ける（図１０（ａ）参照）。前記窓部２１は、前記化粧シート７が積層された矩形シート２０の表裏を貫通してなり、円形の主穴部２１１と、長穴状の副穴部２１２が結合した形状を有する。前記一方の矩形シート２０に対し、前記窓２１を形成した後、係る窓部２１を覆うようにして、前記化粧シート７が積層された側から幅２５ｍｍの粘着テープ２０１を貼り付け、前記粘着テープ２０１における前記窓部２１に対応する部分を、前記窓部２１の縁に沿ってくり抜く。この粘着テープ２０１は、前記窓部２１の縁部において、金網７１がささくれ立つことを防止することを主たる目的として貼り付けられたものであるが、本実施形態においては、前記粘着テープ２０１として、その背面（粘着面の反対面）に金属光沢が付与された装飾用テープを用いることによって、製造される前記保護ケース１０の美的外観の向上も図っている。
【００６９】
他方の矩形シート４０に対しては、角を丸めた側の長辺に沿って、二つの貫通孔４１を一定の間隔をあけて設ける。
【００７０】
次いで、前記一方の矩形シート２０における角を丸めていない側の一長辺を前記帯状シート３０の一側辺に隣接させると共に、前記他方の矩形シート４０における角を丸めていない側の一長辺を前記帯状シート３０の他側辺に隣接させて、幅３８ｍｍの粘着テープ２００にて、前記帯状シート３０の片側面を覆うと共に、前記帯状シート３０の両側辺からそれぞれはみ出させた前記粘着テープ２００の両側の粘着面にて、前記帯状シート３０に隣接させた各矩形シート２０、４０を接合することによって、前記帯状シート３０を挟むようにして、前記帯状シート３０の両側辺に前記矩形シート２０、４０を接合する（図１０（ｂ）参照）。なお、本実施形態においては、前記粘着テープ２００として、その背面に金属光沢が付与された装飾用テープを用いることによって、製造される前記保護ケース１０の美的外観の向上を図ると共に、背表紙部３が、裏表紙部２や表紙部４より目立つようにしている。
【００７１】
続いて、前記帯状シート３０の両側辺に前記矩形シート２０、４０が繋がった前駆体の内面に対し、紙製の保護シート３００を貼り付け、前記保護シート３００にて、各矩形シート２０、４０の内面に折り返して固定した前記化粧シート７の縁部を覆う（図１０（ｃ）参照）。
【００７２】
最後に、前記保護シート３００における、前記窓部２１及び前記二つの貫通孔４１に相当する部分がくり抜かれ、前記二つの貫通孔４１には、各孔を通じて、一端と他端が接合されることによって環状となされたゴムバンド５が取り付けられる。これによって、前記保護ケース１０が製造される。
【００７３】
前記保護ケース１０は、前記帯状シート３０の両側辺に対する各矩形シート２０、４０の接合部分を境として、裏表紙部２、背表紙部３、及び表紙部４の三つの部分に区別される。なお、前記保護ケース１０における裏表紙部２の内面には、アクリル系の感圧接着剤からなる粘着シート（厚さ０．５ｍｍ）６が積層されている。
【００７４】
そして、前記保護ケース１０は、前記粘着テープ２００が露出された状態にて折り畳まれて使用されるものであり、前記裏表紙部２の内面と前記背表紙部３の内面とがなす第一角部２３、及び前記表紙部４の内面と前記背表紙部３の内面とがなす第二角部４３を開閉軸として、前記裏表紙部２に対して前記表紙部４が開閉可能となされている。
【００７５】
前記保護ケース１０に対して、前記携帯機器１００を支持させることによって、本発明構造１を構築するにあたっては、まず、前記保護ケース１０を展開して、前記裏表紙部２の内面に積層された粘着シート６を露出させ、次いで、前記携帯機器１００における前記筐体１０１の裏面を、前記粘着シート６に押し当てて、前記携帯機器１００を前記保護ケース１０に支持させる。
【００７６】
なお、本実施形態においては、前記携帯機器１００に付与されたカメラ装置のレンズ部１０３を、前記窓部２１の存する位置に対応させて位置決めし、前記保護ケース１０に対して、前記携帯機器１００を固定する。本実施形態における前記保護ケース１０は、この位置決めによって、前記携帯機器１００における前記筐体１０１の高さ方向に沿う一側面が、前記第一角部２３に近接され得るように、前記窓部２１の位置が設定されている。
【００７７】
本発明構造１は、前記表紙部４が閉じられて、前記保護ケース１０内に前記携帯機器１００が内包された状態にて携帯に供される。この際、前記ゴムバンド５を前記裏表紙部２と前記表紙部４の周囲に巻き回せば、前記表紙部４が閉じられた状態を維持することができる。
【００７８】
そして、本発明構造１は、前記第一角部２３から前記第二角部４３までの間隔（実測１２．６ｍｍ）が、前記携帯機器１００の厚み（９．３ｍｍ）より大きく設定されているから、前記表紙部４が閉じられて、前記保護ケース１０内に前記携帯機器１００が内包された状態とされた際、前記第一角部２３と前記第二角部４３の角度の和が１８０度未満となる。
【００７９】
従って、前記表紙部４が閉じられた際、前記表示部４の内面と前記携帯機器１００の前記画面部１０２との間には、断面視楔状の間隙が生じる。この間隙は、本発明構造１に対して前記表紙部４の外面側から衝撃が加えられた際に、前記画面部１０２に対して伝達される衝撃を効率よく緩和させる緩衝部となる。
【００８０】
又、本実施形態に係る本発明構造１は、前記保護ケース１０の表面において、落ち着いた感じの独特の金属光沢を有する前記化粧シート７が設けられていることから、独特の質感を有する。
【００８１】
ところで、本実施形態に係る本発明構造１は、前記保護ケース１０の表面に対し、前記独特の質感を付与するにあたり、前記矩形シート２０、４０の表面に前記金網７１を直接的に積層せずに、前記構成を有する化粧シート（金網紙シート）７を、前記矩形シート２０、４０の表面に積層している。
【００８２】
この理由は、前記金網７１は、曲げ応力が加えられると簡単に復元不可能な屈曲を生じるからである。即ち、前記矩形シート２０、４０に前記金網７１を積層する作業中に曲げ応力が加えられると、前記金網７１は屈曲を維持したまま前記矩形シート２０、４０に積層されることになり、その結果、前記保護ケース１０の美的外観が損なわれることになる。
【００８３】
又、首尾よく、前記矩形シート２０、４０に前記金網７１を美麗に積層できたとしても、金属と紙との異種間接着は接着強度が低く、しかも、前記金網７１は衝撃によって容易に変形するものであることから、使用開始後すぐに、前記金網７１が剥がれたり、へこんだりして、その美的外観が短期間で損なわれることになる。
【００８４】
一方、本実施形態に係る本発明構造１は、前記保護ケース１０の表面に対し、前記独特の質感を付与するにあたり、前記化粧シート７として、前記金網７１の片側面に前記熱可塑性樹脂シート７２が加熱、加圧されることによって積層された金網樹脂シートにおける前記熱可塑性樹脂シート７２側の面に、更に紙シート７３が加熱、加圧されて積層された金網紙シートを用いている（図９（ｂ）参照）。
【００８５】
前記金網紙シートにおける前記熱可塑性樹脂シート７２は、前記加熱プレス装置にて加熱、及び加圧されることによって、前記金網７１の網目内に、前記熱可塑性樹脂シート７２の一部が浸透されて、前記金網７１に対して強固に積層されている。これにより、前記金網７１は、前記熱可塑性樹脂シート７２によって保護され、又、保形性が付与される。
【００８６】
又、前記金網紙シートにおける前記紙シート７３は、前記熱可塑性樹脂シート７２の接着力によって、前記熱可塑性樹脂シート７２に対して強固に積層されている。
【００８７】
そして、前記化粧シート７としての金網紙シートは、前記紙シート７３が積層された側の面が、前記矩形シート２０、４０の表面に臨む状態、且つ、前記矩形シート２０、４０の表面全体を覆った状態にて、前記矩形シート２０、４０に対して接着固定される。この接着固定は、紙と紙との同種間接着であることから、非常に強固である。
【００８８】
このような特性を有する金網紙シートを化粧シート７として用いて製造された前記保護ケース１０は、前記金網７１が剥がれたり、へこんだりし難く、その美的外観が短期間で損なわれることが防止される。
【００８９】
なお、本実施形態においては、前記金網紙シートを化粧シート７として、前記矩形シート２０、４０に対し、接着剤を介して積層しているが、前記紙シート７３が積層される前の前記金網樹脂シートを化粧シート７として用いても良い。
【００９０】
この場合にあっては、前記金網樹脂シートにおける前記熱可塑性樹脂シート７２が積層された側の面を前記矩形シート２０、４０の表面に対向させて、前記矩形シート２０、４０の表面を覆い、加熱、加圧することによって、前記金網樹脂シートを前記矩形シート２０、４０に対して溶着固定すれば良い。
【００９１】
又、本実施形態においては、前記化粧シート７として、前記金網７１の片面に対し、前記熱可塑性樹脂シート７２が溶着によって積層されているものを用いているが、前記熱可塑性樹脂シート７２は、前記金網７１の両面に対して積層しても良い。この場合、前記金網７１の表面側に積層する前記熱可塑性樹脂シート７２として透明又は半透明の性質を有するものを用いることによって、内包された前記金網７１の金属光沢が、前記熱可塑性樹脂７２を透過するようにする。これにより、前記金網７１の表面がコーティングされるため、本発明構造１の使用中に、前記保護ケース１０の表面に傷がつくことをより一層防止することができるうえ、前記金網７１に錆が発生することを好適に防止することができる。
【００９２】
なお、本発明は、その精神または主要な特徴から逸脱することなく、他のいろいろな形で実施することができる。そのため、上述の実施例はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００９３】
本発明は、携帯電話、携帯情報受信端末、携帯ゲームなどの携帯機器を保護する保護構造の構築に好適に利用することができる。
【符号の説明】
【００９４】
１  本発明構造（携帯機器保護構造）
２  裏表紙部
２１  窓部
２３  第一角部
３  背表紙部
４  表紙部
４３  第二角部
４１  貫通孔
５  ゴムバンド（係止部材）
６  粘着シート（感圧接着剤）
７  化粧シート
１０  保護ケース
１００  携帯機器
１０１  筐体
１０２  画面部
２００  粘着テープ
【図１】
2013102271.tif 000003
【図２】
2013102271.tif 000004
【図３】
2013102271.tif 000005
【図４】
2013102271.tif 000006
【図５】
2013102271.tif 000007
【図６】
2013102271.tif 000008
【図７】
2013102271.tif 000009
【図８】
2013102271.tif 000010
【図９】
2013102271.tif 000011
【図１０】
2013102271.tif 000012